(57)【要約】【課題】本発明は、スイッチ回路を使用することなく、装置の大型化、デザインの劣化を有効に回避して複数の周波数帯域で確実に放送波を受信することができるようにする。【解決手段】本発明は、信号ＳＡＬ、ＳＡＲ、電力の伝送に供するケーブル３０を多芯同軸ケーブルとし、外部装置３４側では被覆線ＳＳを開放端とすると共に、本体装置２３側では被覆線ＳＳを芯線ケーブルＬＧ、ＬＬ、ＬＲに接続し、本体装置２３ではそれぞれフィルタ回路４７、４８を介して被覆線ＳＳをハイバンドチューナー４１及びローバンドチューナー４２に接続する。【選択図】        図１
2010062611.tif 000002
【特許請求の範囲】
【請求項１】
本体装置と、
前記本体装置と外部装置との間で、信号及び又は電力を伝送する中継ケーブルとを有し、
前記中継ケーブルが、
複数の芯線ケーブルと、前記複数の芯線ケーブルを被覆する被覆線とを有する多芯同軸ケーブルであり、
前記芯線ケーブルにより前記信号及び又は電力を伝送し、
前記被覆線の前記外部装置側端が開放端とされ、
前記被覆線の前記本体装置側端が、前記芯線ケーブルに接続され、
前記本体装置は、
所定周波数帯域の放送波を受信するハイバンドチューナーと、
前記ハイバンドチューナーの受信周波数帯域に対して、受信周波数帯域が低い周波数に設定されたローバンドチューナーと、
前記被覆線が入力端に接続され、出力信号を前記ハイバンドチューナーに出力し、前記ハイバンドチューナーの受信周波数帯域が通過帯域に設定され、前記ローバンドチューナーの受信周波数帯域が遮断帯域に設定されたハイバンド側のフィルタと、
前記被覆線が入力端に接続され、出力信号を前記ローバンドチューナーに出力し、前記ローバンドチューナーの受信周波数帯域が通過帯域に設定され、前記ハイバンドチューナーの受信周波数帯域が遮断帯域に設定されたローバンド側のフィルタとを有する
受信装置。
【請求項２】
前記ハイバンド側のフィルタ及びローバンド側のフィルタは、
遮断帯域においてカットオフ周波数から周波数が遠ざかるに従って入力インピーダンスが増大するように設定された
請求項１に記載の受信装置。
【請求項３】
前記ハイバンド側のフィルタは、
コンデンサの一端をインダクタを介して接地し、前記コンデンサの他端に前記被覆線が接続され、前記コンデンサの一端が前記ハイバンドチューナーのアンテナ入力端に接続され、
前記ローバンド側のフィルタは、
インダクタの一端をコンデンサを介して接地し、前記インダクタの他端に前記被覆線が接続され、前記インダクタの一端が前記ローバンドチューナーのアンテナ入力端に接続される
請求項２に記載の受信装置。
【請求項４】
前記中継ケーブルがコネクタにより着脱可能に前記本体装置及び又は前記外部機器に接続された
請求項１に記載の受信装置。
【請求項５】
前記外部装置が、イヤホンである
請求項１に記載の受信装置。
【請求項６】
前記外部装置が、イヤホンであり、
前記被覆線の長さが、前記ハイバンドチューナーの受信周波数帯域の波長の１／４の長さに設定され、
前記被覆線の長さに前記イヤホンのケーブルの長さを加算した長さが、前記ローバンドチューナーの受信周波数帯域の波長の１／４の長さに設定された
請求項２に記載の受信装置。
【発明の詳細な説明】
【技術分野】
【０００１】
本発明は、受信装置に関し、例えばディジタルテレビジョン放送とＦＭ放送とを受信可能な携帯型の音楽プレイヤーに適用することができる。本発明は、信号、電力の伝送に供するケーブルを多芯同軸ケーブルとし、外部装置側では被覆線を開放端とすると共に、本体装置側では被覆線を芯線ケーブルに接続し、本体装置ではそれぞれフィルタ回路を介して被覆線をハイバンドチューナー及びローバンドチューナーに接続することにより、スイッチ回路を使用することなく、装置の大型化、デザインの劣化を有効に回避して複数の周波数帯域で確実に放送波を受信することができるようにする。
【背景技術】
【０００２】
従来、特開平１０−９３４７３号公報、特開２００２−２９８８０２号公報、特開２００５−２０３８１号公報等には、スイッチ回路でアンテナの出力を切り換え、１つのアンテナを複数のチューナーで使用する構成が開示されている。
【０００３】
すなわち図２８は、これらに開示の手法を適用した受信システムを示す図である。この受信システム１は、アンテナ２の出力をスイッチ回路３に入力する。受信システム１は、このスイッチ回路３の動作を所定の制御信号Ｓ１により切り換え、アンテナ２の出力をハイバンドチューナー４及びローバンドチューナー５のアンテナ入力端に選択的に入力する。なおここでハイバンドチューナー４は、例えばディジタルテレビジョン放送を受信するチューナーである。またローバンドチューナー５は、ＦＭ放送を受信するチューナーである。なおハイバンドチューナー４及びローバンドチューナー５のアンテナ入力端とスイッチ回路３との間には、それぞれマッチング回路（Ｍ）６及び７が適宜配置される。
【０００４】
また従来、特開２００６−２５３９２号公報等には、イヤホンのケーブルをアンテナとして使用するイヤホンアンテナの構成が開示されている。
【特許文献１】特開平１０−９３４７３号公報
【特許文献２】特開２００２−２９８８０２号公報
【特許文献３】特開２００５−２０３８１号公報
【特許文献４】特開２００６−２５３９２号公報
【発明の開示】
【発明が解決しようとする課題】
【０００５】
しかしながら図２８の構成では、スイッチ回路を設けることによる各種の問題を有する。具体的に、図２８の構成では、スイッチ回路の挿入損失により感度が低下する問題がある。また構成が複雑になり、消費電力が増大し、さらには実装スペースが増大する問題もある。
【０００６】
また図２８の構成において、アンテナ２にロッドアンテナを適用する場合、ＦＭ放送帯域である周波数１００〔ＭＨｚ〕では、この周波数の１／４波長に相当する７５〔ｃｍ〕の長さのアンテナ２が必要になる。またこの場合、ディジタルテレビジョン放送に係るＵＨＦ帯域（周波数４７０〜７７０〔ＭＨｚ〕）では、周波数５００〔ＭＨｚ〕の１／４波長に相当する１５〔ｃｍ〕の長さのアンテナ２が必要になる。
【０００７】
ここでアンテナ２の長さをＦＭ放送帯域に必要な長さ７５〔ｃｍ〕とすると、携帯機器では、装置が著しく大型化し、さらにはデザインが著しく劣化する問題がある。またこれとは逆にアンテナ２の長さをＵＨＦ帯域に必要な１５〔ｃｍ〕とすると、ＦＭ放送において、十分な受信電力を確保することが困難になり、ＦＭ放送を受信できなくなる。
【０００８】
これによりスイッチ回路を使用することなく、複数の周波数帯域で放送波を確実に受信できることが求められる。
【０００９】
ここでスイッチ回路を使用することなく複数の周波数帯域で放送波を受信する方法として、図２８との対比により図２９に示すように、ハイバンドチューナー４及びローバンドチューナー５にそれぞれ専用のアンテナ２Ａ及び２Ｂを設ける方法が考えられる。この受信システム８では、スイッチ回路を設けることによる各種の問題を一挙に解決することができる。
【００１０】
しかしながらこの図２９の構成では、受信装置が大型化し、携帯機器の場合には、著しく携帯性が劣化し、さらにはデザインが損なわれる問題がある。
【００１１】
なおスイッチ回路に代えてウイルキンソンカプラ等の分配器を使用する方法も考えられるが、この方法でも、挿入損失により感度が低下する問題等がある。
【００１２】
本発明は以上の点を考慮してなされたもので、スイッチ回路を使用することなく、装置の大型化、デザインの劣化を有効に回避して複数の周波数帯域で確実に放送波を受信することができる受信装置を提案しようとするものである。
【課題を解決するための手段】
【００１３】
上記の課題を解決するため請求項１の発明は、受信装置に適用して、本体装置と、前記本体装置と外部装置との間で、信号及び又は電力を伝送する中継ケーブルとを有するようにする。前記中継ケーブルが、複数の芯線ケーブルと、前記複数の芯線ケーブルを被覆する被覆線とを有する多芯同軸ケーブルであり、前記芯線ケーブルにより前記信号及び又は電力を伝送し、前記被覆線の前記外部装置側端が開放端とされ、前記被覆線の前記本体装置側端が、前記芯線ケーブルに接続される。前記本体装置は、所定周波数帯域の放送波を受信するハイバンドチューナーと、前記ハイバンドチューナーの受信周波数帯域に対して、受信周波数帯域が低い周波数に設定されたローバンドチューナーと、前記被覆線が入力端に接続され、出力信号を前記ハイバンドチューナーに出力し、前記ハイバンドチューナーの受信周波数帯域が通過帯域に設定され、前記ローバンドチューナーの受信周波数帯域が遮断帯域に設定されたハイバンド側のフィルタと、前記被覆線が入力端に接続され、出力信号を前記ローバンドチューナーに出力し、前記ローバンドチューナーの受信周波数帯域が通過帯域に設定され、前記ハイバンドチューナーの受信周波数帯域が遮断帯域に設定されたローバンド側のフィルタとを有する。
【００１４】
請求項１の構成により、被覆線の外部装置側端を開放端とし、被覆線の本体装置側端を芯線ケーブルに接続すれば、被覆線の長さに対応する周波数帯域では、被覆線がアンテナとして機能する。またこの周波数帯域より低い周波数帯域では、芯線ケーブルに接続された外部装置側のケーブルと中継ケーブルとがアンテナとして機能する。これにより外部機器との間のケーブルを有効に使用して、２つの周波数帯域のアンテナを構成することができる。またさらに請求項１の構成により通過帯域、遮断帯域が設定されたハイバンド側のフィルタ及びローバンド側のフィルタを介してそれぞれハイバンドチューナー及びローバンドチューナーに被覆線を接続すれば、スイッチ回路を使用することなく、１つのアンテナを複数のチューナーで共通に使用して、ハイバンドチューナー及びローバンドチューナーに対応する周波数帯域で放送波を受信することができる。これによりスイッチ回路を使用することなく、装置の大型化、デザインの劣化を有効に回避して複数の周波数帯域で確実に放送波を受信することができる。
【発明の効果】
【００１５】
本発明によれば、スイッチ回路を使用することなく、装置の大型化、デザインの劣化を有効に回避して複数の周波数帯域で確実に放送波を受信することができる。
【発明を実施するための最良の形態】
【００１６】
以下、適宜図面を参照しながら本発明の実施の形態を詳述する。なお説明は、以下の順序で行う。
【００１７】
１．第１の実施の形態
２．変形例
＜第１の実施の形態＞
［実施の形態の構成］
［原理構成］
図２は、図２８との対比により本発明の第１の実施の形態に係る受信システムの原理構成を示すブロック図である。この受信システム１１は、アンテナ１４の出力信号がハイパスフィルタ（ＨＰＦ）１２及びローパスフィルタ（ＬＰＦ）１３で終端される。またハイパスフィルタ１２及びローパスフィルタ１３の出力信号がそれぞれハイバンドチューナー１５及びローバンドチューナー１６のアンテナ入力端に入力される。
【００１８】
ここでローパスフィルタ１３が接続されたローバンドチューナー１６は、ハイパスフィルタ１２が接続されたハイバンドチューナー１５に比して、受信する周波数帯域が低いチューナーである。具体的にハイバンドチューナー１５は、例えば受信周波数帯域がＵＨＦ帯域（周波数４７０〜７７０〔ＭＨｚ〕）であるディジタルテレビジョン放送を受信するチューナーである。ローバンドチューナー１６は、受信周波数帯域がＶＨＦ帯域（周波数８０〜１１０〔ＭＨｚ〕）であるＦＭ放送を受信するチューナーである。
【００１９】
ハイパスフィルタ１２は、ハイバンドチューナー１５の受信周波数帯域が通過帯域であって、ローバンドチューナー１６の受信周波数帯域が遮断帯域に設定される。またローパスフィルタ１３は、これとは逆に、ハイバンドチューナー１５の受信周波数帯域が遮断帯域であって、ローバンドチューナー１６の受信周波数帯域が通過帯域に設定される。またハイパスフィルタ１２及びローパスフィルタ１３は、入力側端から見たインピーダンス（入力インピーダンス）が、遮断帯域においてカットオフ周波数から周波数が遠ざかるに従って増大するように設定される。なおハイパスフィルタ１２及びローパスフィルタ１３は、アンテナ１４とのマッチング回路を兼用するようにしてもよい。
【００２０】
これにより図３において矢印Ａにより示すように、この受信システム１１において、ハイバンドチューナー１５の受信周波数帯域におけるアンテナ１４からの高周波信号は、ローパスフィルタ１３側への流入が防止され、ハイパスフィルタ１２側にのみ流入する。その結果、この周波数帯域では、アンテナ１４の出力信号をハイバンドチューナー１５にのみ入力して放送波を受信することができる。
【００２１】
また図４において矢印Ｂにより示すように、ローバンドチューナー１６の受信周波数帯域におけるアンテナ１４からの高周波信号は、ハイパスフィルタ１２側への流入が防止され、ローパスフィルタ１３側にのみ流入する。その結果、この周波数帯域では、アンテナ１４の出力信号をローバンドチューナー１６にのみ入力して放送波を受信することができる。
【００２２】
これらにより受信システム１１では、スイッチ回路を設けることなく、１つのアンテナ１４を複数のハイバンドチューナー１５及びローバンドチューナー１６で使用することができ、スイッチ回路を設ける場合の各種の不都合を有効に回避することができる。
【００２３】
なおハイパスフィルタ１２及びローパスフィルタ１３の通過帯域が一部でも重複する場合、この重複した周波数帯域でアンテナ出力が２系統に分配されることになる。具体的には、ハイパスフィルタ１２及びローパスフィルタ１３のカットオフ周波数をそれぞれ５０〔ＭＨｚ〕及び９００〔ＭＨｚ〕に設定した場合等である。従って各チューナーのフィルタは、他のチューナーの受信周波数帯域ではアンテナ出力の流入を防止し、かつ自己のチューナーの受信周波数帯域ではアンテナ出力を流入させるように構成することが必要である。従ってこの条件を満足する限り、ハイパスフィルタ及びローパスフィルタに代えて、バンドパスフィルタを適用するようにしてもよい。
【００２４】
さらにこの受信システム１１では、図２との対比により図５に示すように、ハイバンドチューナー１５及びローバンドチューナー１６の受信周波数帯域でそれぞれアンテナとして機能する部位１４Ａ及び１４Ｂを有するイヤホンアンテナによりアンテナ１４を構成する。これによりこの受信システム１１では、携帯性、デザインの劣化を防止する。
【００２５】
［具体的構成］
図６は、本発明の第１の実施の形態の具体的構成に係る受信システムを示す斜視図である。この受信システム１１は、中継ケーブル２２を介して、本体装置２３にイヤホン２４を接続する。
【００２６】
ここで図７に示すように、イヤホン２４は、ケーブル２６の一端に３ピンのプラグ２７が接続され、ケーブル２６の他端に右チャンネル及び左チャンネル用のスピーカ２８Ｒ及び２８Ｌが接続される。より具体的に、イヤホン２４は、右チャンネル及び左チャンネル用のスピーカ２８Ｒ及び２８Ｌからそれぞれ延長する平行２線式のケーブルが、右チャンネル及び左チャンネルのオーディオ信号でアースを共通化した３線式のフラットケーブルに接続される。これによりイヤホン２４は、右チャンネル及び左チャンネル用のスピーカ２８Ｒ及び２８Ｌから延長するケーブルが一本に束ねられた後、プラグ２７に接続される。この実施の形態では、右チャンネル及び左チャンネル用のスピーカ２８Ｒ及び２８Ｌからそれぞれ延長する平行２線式のケーブルは、それぞれ長さ１００〔ｍｍ〕及び４５０〔ｍｍ〕に設定される。またプラグ７から左チャンネル用のスピーカ２８Ｌまでの長さが１２００〔ｍｍ〕に設定される。
【００２７】
中継ケーブル２２は、図８に示すように、ケーブル３０の一端に、イヤホン２４のプラグ２７を接続するジャック３１が設けられ、ケーブル３０の他端に、プラグ３２が設けられる。
【００２８】
ここで図９に示すように、ケーブル３０は、多芯同軸ケーブルである。ケーブル３０は、複数の芯線ケーブルＬＬ、ＬＲ、ＬＧを束ね合わせた後、ポリエチレンによる絶縁層３５、被覆線ＳＳ、エラストマーによる外皮３６により順次被覆して作成される。なお被覆線ＳＳは、銅の網線により構成される。
【００２９】
本体装置２３は、ディジタルテレビジョン放送及びＦＭ放送の受信機能を有する携帯型の音楽プレイヤーである。本体装置２３は、底面に、中継ケーブル２２のプラグ３２を接続するジャック３３が設けられる。
【００３０】
図１は、図７の受信システム１１を詳細に示す接続図である。中継ケーブル２２は、芯線ケーブルＬＬ、ＬＲ、ＬＧがそれぞれ左チャンネルオーディオ信号ＳＡＬのホット側、右チャンネルオーディオ信号ＳＡＲのホット側、左チャンネルオーディオ信号ＳＡＬ及び右チャンネルオーディオ信号ＳＡＲに共通のアースに割り当てられる。中継ケーブル２２は、これら芯線ケーブルＬＬ、ＬＧ、ＬＲのイヤホン側端が、ジャック３１の対応する端子３１Ｌ、３１Ｇ、３１Ｒに接続される。またこれら芯線ケーブルＬＬ、ＬＧ、ＬＲの本体装置側端が、プラグ３２の対応する端子に接続される。
【００３１】
また中継ケーブル２２は、被覆線ＳＳのイヤホン側端が、何れの部位にも接続されていない開放端とされる。また被覆線ＳＳの本体装置側端が、アースに割り当てられた芯線ケーブルＬＧと接続される。
【００３２】
中継ケーブル２２は、長さＬＬ１が、ディジタルテレビジョン放送帯域の中心周波数に対して、約１／４波長の長さに設定される。またこの長さの設定により、この受信システム１１では、プラグ３２からスピーカ２８Ｌまでの長さＬＬ２が、ＦＭ放送の中心周波数に対して約１／４波長の長さに設定される。
【００３３】
本体装置２３は、ディジタルテレビジョン放送を受信するハイバンドチューナー４１と、ＦＭ放送を受信するローバンドチューナー４２とを有し、これらハイバンドチューナー４１及びローバンドチューナー４２によりディジタルテレビジョン放送及びＦＭ放送による左チャンネル及び右チャンネルのオーディオ信号ＳＡＬ、ＳＡＲを取得する。本体装置２３は、アースに割り当てられた芯線ケーブルＬＧに対応するジャック３３の端子が、高周波信号を遮断する高周波遮断回路４３を介して接地される。またハイバンドチューナー４１及びローバンドチューナー４２より得られるオーディオ信号ＳＡＬ及びＳＡＲが、それぞれ高周波遮断回路４４、４５を介して、芯線ケーブルＬＬ、ＬＲに対応するジャック３３の端子に出力される。これにより本体装置２３は、イヤホン２４を介してテレビジョン放送の音声、ＦＭ放送の音声を聴取できるように構成される。なお高周波遮断回路４３〜４５は、例えばフェライトビーズにより構成される。
【００３４】
本体装置２３は、ハイバンドチューナー４１及びローバンドチューナー４２のアンテナ入力端にハイパスフィルタ４７、ローパスフィルタ４８が設けられる。ここでハイパスフィルタ４７、ローパスフィルタ４８は、図２において上述したハイパスフィルタ１２、ローパスフィルタ１３に対応する構成である。従ってハイパスフィルタ４７は、ハイバンドチューナー４１の受信周波数帯域が通過帯域であって、ローバンドチューナー４２の受信周波数帯域が遮断帯域である。またローパスフィルタ４８は、ローバンドチューナー４２の受信周波数帯域が通過帯域であって、ハイバンドチューナー４１の受信周波数帯域が遮断帯域である。またハイパスフィルタ４７及びローパスフィルタ４８は、遮断帯域においてカットオフ周波数から周波数が遠ざかるに従って入力インピーダンスが増大するように設定される。
【００３５】
より具体的に、ハイパスフィルタ４７は、コンデンサＣ１及びインダクタＬ１の直列回路により入力信号を終端し、コンデンサＣ１及びインダクタＬ１の接続中点をカップリングコンデンサＣ２によりハイバンドチューナー４１のアンテナ入力端に入力する。またローパスフィルタ４８は、インダクタＬ２及びコンデンサＣ３の直列回路により入力信号を終端し、インダクタＬ２及びコンデンサＣ３の接続中点をカップリングコンデンサＣ４によりローバンドチューナー４２のアンテナ入力端に入力する。
【００３６】
本体装置２３は、アースの芯線ケーブルＬＧを接地する高周波遮断回路４３のジャック３３側端が、インダクタＬ３を介してハイパスフィルタ４７、ローパスフィルタ４８の入力端に共通に接続される。これによりこの受信システム１１では、ディジタルテレビジョン放送を受信する場合には、被覆線ＳＳを１／４波長のモノポールアンテナとして機能させ、この被覆線ＳＳで誘起した高周波信号によりハイバンドチューナー４１でディジタルテレビジョン放送を受信する。またＦＭ放送を受信する場合には、イヤホン２４のケーブル２６及び中継ケーブル２２を１／４波長のモノポールアンテナとして機能させ、イヤホン２４のケーブル２６及び中継ケーブル２２で誘起した高周波信号によりローバンドチューナー４２でＦＭ放送を受信する。
【００３７】
なおハイパスフィルタ４７、ローパスフィルタ４８の入力段に設けられたインダクタＬ３は、ハイパスフィルタ４７と共にハイバンドチューナー４１のマッチング回路を構成し、またローパスフィルタ４８と共にローバンドチューナー４２のマッチング回路を構成する。
【００３８】
［実施の形態の動作］
以上の構成において、この受信システム１１（図１及び図６）では、ユーザーの操作に応動してハイバンドチューナー４１又はローバンドチューナー４２が動作を立ち上げ、ハイバンドチューナー４１又はローバンドチューナー４２でディジタルテレビジョン放送又はＦＭ放送のオーディオ信号ＳＡＬ及びＳＡＲが取得される。
【００３９】
受信システム１１では、このオーディオ信号ＳＡＬ及びＳＡＲが中継ケーブル２２の芯線ケーブルＬＬ、ＬＲ、ＬＧを介してイヤホン２４のケーブル２６に供給され、このオーディオ信号ＳＡＬ及びＳＡＲによりイヤホン２４のスピーカ２８Ｌ及び２８Ｒが駆動される。受信システム１１では、これにより中継ケーブル２２を介してイヤホン２４にオーディオ信号ＳＡＬ、ＳＡＲが伝送され、ハイバンドチューナー４１、ローバンドチューナー４２で受信した放送波の音声がイヤホン２４によりユーザーに提供される。
【００４０】
受信システム１１では、このようにして中継ケーブル２２を介してイヤホン２４にオーディオ信号ＳＡＬ、ＳＡＲを伝送している状態で、中継ケーブル２２のケーブル３０、イヤホン２４のケーブル２６に各種の高周波信号が誘起される。
【００４１】
ここでハイバンドチューナー４１の受信周波数帯域の高周波信号のうち、イヤホン２４のケーブル２６で誘起された高周波信号は、中継ケーブル２２を介して本体装置２３に入力されることになる。また中継ケーブル２２は、芯線ケーブルＬＲ、ＬＧ、ＬＬがイヤホン２４のケーブル２６に接続され、これら芯線ケーブルＬＲ、ＬＧ、ＬＬが被覆線ＳＳで被覆されていることから、同軸伝送路として機能して、イヤホン２４のケーブル２６で誘起された高周波信号を伝送することになる。
【００４２】
しかしながら中継ケーブル２２は、被覆線ＳＳの長さＬＬ１が、この周波数帯域の中心周波数に対して１／４波長の長さに設定され、本体装置２３側端で芯線ケーブルＬＧと被覆線ＳＳとが接続されていることにより、ハイバンドチューナー４１の受信周波数帯域では、同軸伝送路としてのインピーダンスが無限大となる。従って中継ケーブル２２は、イヤホン２４のケーブル２６から流入する当該周波数帯域の高周波信号を本体装置２３には伝送しないように機能することになる。
【００４３】
その結果、この受信システム１１は、ハイバンドチューナー４１の受信周波数帯域では、中継ケーブル２２の被覆線ＳＳのみがアンテナとして機能し、この被覆線ＳＳにより１／４波長のモノポールアンテナが構成されることになる。受信システム１１は、このモノポールアンテナで誘起された高周波信号が、プラグ３２、ジャック３３を順次介して本体装置２３に入力される。
【００４４】
これに対してローバンドチューナー４２の受信周波数帯域において、中継ケーブル２２は、何らイヤホン２４のケーブル２６で誘起された高周波信号の伝送を害さないことになる。従ってこの受信周波数帯域においてイヤホン２４のケーブル２６で誘起された高周波信号は、中継ケーブル２２、プラグ３２、ジャック３３を順次介して本体装置２３に入力されることになる。
【００４５】
またこの中継ケーブル２２における伝送過程において、当該受信周波数帯域の高周波信号は、被覆線ＳＳと芯線ケーブルＬＧとの結合により、さらにプラグ３２の根元部分における被覆線ＳＳと芯線ケーブルＬＧとの接続により、被覆線ＳＳに誘起された高周波信号がイヤホン２４のケーブル２６で誘起された高周波信号が加算されることになる。その結果、受信システム１１では、ローバンドチューナー４２の受信周波数帯域では、イヤホン２４のケーブル２６と中継ケーブル２２とがアンテナとして機能することになる。この場合、ローバンドチューナー４２の受信周波数帯域では、１／４波長のモノポールアンテナが構成され、このモノポールアンテナで誘起された高周波信号が、プラグ３２、ジャック３３を順次介して本体装置２３に入力される。
【００４６】
これらによりこの受信システム１１では（図４参照）、中継ケーブル２２の被覆線ＳＳと、イヤホン２４のケーブル２６と中継ケーブル２２とにより、それぞれハイバンドチューナー４１、ローバンドチューナー４２のアンテナとして機能する部位が構成されることになる。またこれらの部位で誘起された高周波信号がまとめて本体装置２３に入力されることになる。これによりこの受信システム１１では、個別にアンテナを設けなくてもよいことになり、大型化を有効に回避し、さらには携帯性、デザインの劣化を防止することができる。またイヤホン２４のケーブル２６、中継ケーブル２２がアンテナとして機能することにより、ロッドアンテナを設ける場合等のデザインの劣化、携帯性の劣化を防止することができる。
【００４７】
本体装置２３において、中継ケーブル２２から入力される高周波信号は、インダクタＬ３を介してハイパスフィルタ４７及びローパスフィルタ４８で終端される。またハイパスフィルタ４７及びローパスフィルタ４８の出力信号がそれぞれハイバンドチューナー４１及びローバンドチューナー４２に入力される。
【００４８】
ここでハイパスフィルタ４７及びローパスフィルタ４８では（図２及び図３参照）、ハイバンドチューナー４１の受信周波数帯域がそれぞれ通過帯域及び遮断帯域に設定されていることから、当該周波数帯域の高周波信号は、ハイパスフィルタ４７を介してハイバンドチューナー４１側にのみ入力される。またハイパスフィルタ４７及びローパスフィルタ４８では、ローバンドチューナー４２の受信周波数帯域がそれぞれ遮断帯域及び通過帯域に設定されていることから、当該周波数帯域の高周波信号は、ローパスフィルタ４８を介してローバンドチューナー４２側にのみ入力される。
【００４９】
これによりこの受信システム１１では、イヤホン２４のケーブル２６、中継ケーブル２２によるイヤホンアンテナを複数のチューナー４１、４２で使用して所望の放送波を受信することができる。
【００５０】
さらにこの受信システム１１では、ハイパスフィルタ４７及びローパスフィルタ４８の入力インピーダンスが、遮断帯域においてカットオフ周波数から遠ざかるに従って増大する特性に設定されていることにより、カットオフ周波数の選定によりそれぞれローパスフィルタ４８及びハイパスフィルタ４７の通過帯域において、ハイパスフィルタ４７及びローパスフィルタ４８に流出する高周波信号を殆ど無視できるように設定される。
【００５１】
より具体的に、ハイパスフィルタ４７は、コンデンサＣ１、インダクタＬ１を順次介して入力信号を接地するようにして、このコンデンサＣ１及びインダクタＬ１の接続中点がカップリングコンデンサＣ２を介してハイバンドチューナー４１の入力端に接続される。ここでカップリングコンデンサＣ２は、十分な大きな容量に設定されることにより、ハイパスフィルタ４７は、インダクタＬ１に並列にハイバンドチューナー４１の入力インピーダンスが接続された構成とほぼ等化になる。これによりハイパスフィルタ４７は、周波数が低くなるに従って入力インピーダンスが増大し、ローパスフィルタ４８の通過帯域では、アンテナからの高周波信号が殆ど流入しないように設定される。
【００５２】
またローパスフィルタ４８は、インダクタＬ２、コンデンサＣ３を順次介して入力信号を接地するようにして、このインダクタＬ２及びコンデンサＣ３の接続中点がカップリングコンデンサＣ４を介してローバンドチューナー４２の入力端に接続される。ここでこの場合も、カップリングコンデンサＣ４は、十分な大きな容量に設定されることにより、ローパスフィルタ４８は、コンデンサＣ３に並列にローバンドチューナー４２の入力インピーダンスが接続された構成とほぼ等化になる。これによりローパスフィルタ４８は、周波数が高くなるに従って入力インピーダンスが増大し、ハイパスフィルタ４７の通過帯域では、アンテナからの高周波信号が殆ど流入しないように設定される。
【００５３】
これによりこの受信システム１１では、イヤホン２４のケーブル２６、中継ケーブル２２によるイヤホンアンテナを複数のチューナー４１、４２で使用して所望の放送波を受信するようにして、アンテナから流入する高周波信号の損失を防止することができる。その結果、スイッチ回路を設ける場合の各種の問題点を有効に回避することができる。すなわち挿入損失を低減できることにより、感度の低下を防止することができる。また単にフィルタを設けるだけで２つのチューナー４１、４２で１つのアンテナを共通に使用できることにより、構成を簡略化し、消費電力の増大を防止することができる。また実装スペースの増大を低減することができる。
【００５４】
図１０は、この受信システム１１のＵＨＦ帯域におけるアンテナの特性を示す特性曲線図である。この図１０において、符号ＬＶ及びＬＨは、垂直偏波及び水平偏波の測定結果である。また図１１及び図１２は、図１０の測定結果を詳細に示す図表である。また図１３〜図１５は、図１０〜図１２との対比により、この受信システム１１のＶＨＦ帯域におけるアンテナの特性を示す特性曲線図である。また図１６〜図１８は、図１０〜図１２との対比により、中継ケーブル２２のみ接続した場合の、この受信システム１１のＵＨＦ帯域におけるアンテナの特性を示す特性曲線図である。これらにより中継ケーブル２２にイヤホン２４を接続しても、特性の劣化を有効に回避できることが判る。またＶＨＦ帯域でも、十分なアンテナ電力を確保できることが判る。
【００５５】
また図１９〜図２１は、図１０〜図１２との対比により、ＵＨＦ帯域用のロッドアンテナの特性を示す特性曲線図である。この図１９〜図２１の測定結果と、図１０〜図１２の測定結果との比較により、この受信システム１１では、ロッドアンテナとほぼ同等の利得を確保できることが判る。
【００５６】
なお図２２〜図２７は、図１０〜図１２との対比により、中継ケーブル２２を省略して、イヤホン２４のケーブル２６のみアンテナとして使用した場合の測定結果である。この場合、イヤホン２４のケーブル長がＵＨＦ帯域における波長に対して十分に長いことになる。その結果、イヤホン２４のケーブル長に対応する周波数を基本周波数とした場合に、ＵＨＦ帯域ではこの基本周波数の高調波の周波数で放送波を受信することになる。これによりＵＨＦ帯域で特性が劣化し、図２２の測定結果では、この特性の劣化が周波数４７０〜５００〔ＭＨｚ〕で顕著に認められる。しかしながらこの実施例では、このような高調波を原因とした特性の劣化についても有効に回避することができる。
【００５７】
＜変形例＞
なお上述の実施の形態においては、被覆線の本体装置側端を直接芯線ケーブルに接続する場合について述べた。しかしながら被覆線と芯線ケーブルとは、少なくとも本体装置の受信周波数帯域で十分に低いインピーダンスで接続されていればよく、例えばコンデンサを介して接続するようにしてもよい。
【００５８】
また上述の実施の形態においては、アースに割り当てた芯線ケーブルに被覆線の本体装置側端を接続する場合について述べた。しかしながら本発明はこれに限らず、被覆線の本体装置側端を他の芯線ケーブルに接続するようにしてもよく、さらには複数の芯線ケーブルに被覆線の本体装置側端を接続するようにしてもよい。なお複数の芯線ケーブルに被覆線の本体装置側端を接続する場合には、小容量のコンデンサを介して芯線ケーブルと被覆線とを接続し、又は複数の芯線ケーブル間を接続し、これにより芯線ケーブルに割り当てた信号の伝送に支障を与えないようにし、かつ本体装置の受信周波数帯域で、複数の芯線ケーブルと被覆線の本体装置側端とを十分に低いインピーダンスにより接続することが必要になる。
【００５９】
また上述の実施の形態においては、コンデンサ及びインダクタの直列回路でハイパスフィルタ、ローパスフィルタを構成する場合について述べた。しかしながら本発明はこれに限らず、種々の構成よるハイパスフィルタ、ローパスフィルタを広く適用することができる。
【００６０】
また上述の実施の形態においては、ハイバンドチューナーとローバンドチューナーとの２つのチューナーで放送波を受信する場合について述べた。しかしながら本発明はこれに限らず、３つのチューナーで放送波を受信する場合等、複数のチューナーで放送波を受信する場合に広く適用することができる。
【００６１】
また上述の実施の形態においては、被覆線の長さ、被覆線及びイヤホンのケーブルの長さをそれぞれディジタルテレビジョン放送波、ＦＭ放送波に対応する長さに設定する場合について述べた。しかしながら本発明はこれに限らず、各種の放送波を受信する場合に広く適用することができる。
【００６２】
また上述の実施の形態においては、コネクタを使用して着脱可能にイヤホン、中継ケーブルを接続する場合について述べたが、本発明はこれに限らず、いわゆる作り付けにより着脱困難にイヤホン、中継ケーブルを接続する場合にも広く適用することができる。
【００６３】
また上述の実施の形態においては、オーディオ信号を伝送するケーブルをアンテナとして機能させる場合について述べた。しかしながら本発明はこれに限らず、オーディオ信号以外の各種アナログ信号、ディジタル信号を伝送するケーブル、さらには電力を伝送するケーブルをアンテナとして機能させるようにしてもよい。
【００６４】
また上述の実施の形態においては、本発明を携帯音楽プレイヤーによる受信システムに適用する場合について述べたが、本発明はこれに限らず、放送波の受信機能を備えた携帯電話等、種々の受信装置に広く適用することができる。
【産業上の利用可能性】
【００６５】
本発明は、例えばディジタルテレビジョン放送とＦＭ放送とを受信可能な携帯型の音楽プレイヤーに適用することができる。
【図面の簡単な説明】
【００６６】
【図１】本発明の第１の実施の形態に係る受信システムを示す接続図である。
【図２】本発明に係る受信システムの基本構成を示すブロック図である。
【図３】図２の受信システムにおけるハイバンドチューナー使用時の説明に供するブロック図である。
【図４】図２の受信システムにおけるローバンドチューナー使用時の説明に供するブロック図である。
【図５】図２の受信システムで使用するアンテナの説明に供するブロック図である。
【図６】本発明の第１の実施の形態に係る受信システムを示す斜視図である。
【図７】図６の受信システムにおけるイヤホンを示す図である。
【図８】図６の受信システムにおける中継ケーブルを示す図である。
【図９】図８の中継ケーブルに使用する多芯同軸ケーブルの説明に供する図である。
【図１０】図６の受信システム１１のＵＨＦ帯域におけるアンテナの特性を示す特性曲線図である。
【図１１】図１０の測定結果における垂直偏波の特性を詳細に示す図表である。
【図１２】図１０の測定結果における水平偏波の特性を詳細に示す図表である。
【図１３】図６の受信システム１１のＶＨＦ帯域におけるアンテナの特性を示す特性曲線図である。
【図１４】図１３の測定結果における垂直偏波の特性を詳細に示す図表である。
【図１５】図１３の測定結果における水平偏波の特性を詳細に示す図表である。
【図１６】図６の受信システム１１において中継ケーブルのみを使用した場合の特性を示す特性曲線図である。
【図１７】図１６の測定結果における垂直偏波の特性を詳細に示す図表である。
【図１８】図１６の測定結果における水平偏波の特性を詳細に示す図表である。
【図１９】ロッドアンテナを使用した場合の特性を示す特性曲線図である。
【図２０】図１９の測定結果における垂直偏波の特性を詳細に示す図表である。
【図２１】図１９の測定結果における水平偏波の特性を詳細に示す図表である。
【図２２】イヤホンのケーブルのみをアンテナとして使用した場合のＵＨＦ帯域の特性を示す特性曲線図である。
【図２３】図２２の測定結果における垂直偏波の特性を詳細に示す図表である。
【図２４】図２２の測定結果における水平偏波の特性を詳細に示す図表である。
【図２５】イヤホンのケーブルのみをアンテナとして使用した場合のＶＨＦ帯域の特性を示す特性曲線図である。
【図２６】図２５の測定結果における垂直偏波の特性を詳細に示す図表である。
【図２７】図２５の測定結果における水平偏波の特性を詳細に示す図表である。
【図２８】スイッチ回路によりアンテナ出力を切り換える場合の構成を示すブロック図である。
【図２９】各周波数帯域に専用のアンテナを設ける場合の構成を示すブロック図である。
【符号の説明】
【００６７】
１、８、１１……受信システム、２、２Ａ、２Ｂ、１４……アンテナ、４、１５、４１……ハイバンドチューナー、５、１６、４２……ローバンドチューナー、１２、４７……ハイパスフィルタ、１３、４８……ローパスフィルタ、２２……中継ケーブル、２３……本体装置、２４……イヤホン、２６、３０……ケーブル、２７、３２……プラグ、３１、３３……ジャック
【図１】
2010062611.tif 000003
【図２】
2010062611.tif 000004
【図３】
2010062611.tif 000005
【図４】
2010062611.tif 000006
【図５】
2010062611.tif 000007
【図６】
2010062611.tif 000008
【図７】
2010062611.tif 000009
【図８】
2010062611.tif 000010
【図９】
2010062611.tif 000011
【図１０】
2010062611.tif 000012
【図１１】
2010062611.tif 000013
【図１２】
2010062611.tif 000014
【図１３】
2010062611.tif 000015
【図１４】
2010062611.tif 000016
【図１５】
2010062611.tif 000017
【図１６】
2010062611.tif 000018
【図１７】
2010062611.tif 000019
【図１８】
2010062611.tif 000020
【図１９】
2010062611.tif 000021
【図２０】
2010062611.tif 000022
【図２１】
2010062611.tif 000023
【図２２】
2010062611.tif 000024
【図２３】
2010062611.tif 000025
【図２４】
2010062611.tif 000026
【図２５】
2010062611.tif 000027
【図２６】
2010062611.tif 000028
【図２７】
2010062611.tif 000029
【図２８】
2010062611.tif 000030
【図２９】
2010062611.tif 000031